(57)【要約】      （修正有）【課題】ＵＳＢインターフェースの高速充電データケーブルを提供する。【解決手段】ＵＳＢデータケーブルがマスタデバイスに接続されたホスト端末とスレーブデバイスに接続されたスレーブ端末との間に設置される昇圧モジュールと、昇圧モジュールにより給電するモード切替モジュールとを備え、昇圧モジュールはＵＳＢデータケーブルのホスト端末の電源給電端の電圧を５Ｖから５．１−５．４Ｖに上昇した後にスレーブ端末に接続され、モード切替モジュールは出力電流の大きさを制御する制御モジュールを少なくとも備え、制御モジュールのポートによりスレーブ端末に入力した充電電流の大きさを制御することができ、モード切替モジュールはモードを選択可能なキー入力部とユーザに現在のデータケーブルの作動モードを提示するＬＥＤ出力部を更に備える。本考案は、昇圧モジュールとモード切替モジュールにより出力電流の大きさを制御することで、コンピュータによる装置への充電を大幅に向上させる。【選択図】図１
0003204266.tif 000002
【実用新案登録請求の範囲】
【請求項１】
ＵＳＢインターフェースの高速充電データケーブルであって、ＵＳＢデータケーブルがマスタデバイスに接続されたホスト端末とスレーブデバイスに接続されたスレーブ端末との間に設置される昇圧モジュールと、前記昇圧モジュールにより給電するモード切替モジュールとを備え、前記昇圧モジュールはＵＳＢデータケーブルのホスト端末の電源給電端の電圧を５Ｖから５．１−５．４Ｖまで上昇した後にスレーブ端末に接続され、前記モード切替モジュールは出力電流の大きさを制御する制御モジュールを少なくとも備え、制御モジュールのポートによりスレーブ端末に入力した充電電流の大きさを制御することができ、前記モード切替モジュールはモードを選択可能なキー入力部とユーザに現在のデータケーブルの作動モードを提示するＬＥＤ出力部を更に備えることを特徴とするＵＳＢインターフェースの高速充電データケーブル。
【請求項２】
前記モード切替モジュールは、標準ＵＳＢモードと高速充電モードの少なくとも二つのモードが設定され、標準ＵＳＢモードは標準ＵＳＢプロトコルにより制御され、高速充電モードはホストのデータプロトコルとの接続が切れ、且つ前記モード切替モジュールと前記昇圧モジュールにより完全に充電電流を自動的に同時に制御することを特徴とする請求項１に記載のＵＳＢインターフェースの高速充電データケーブル。
【請求項３】
前記データケーブルはＵＳＢメスコネクタの代わりとしてＵＳＢオスコネクタをアダプターとすることができることを特徴とする請求項１に記載のＵＳＢインターフェースの高速充電データケーブル。
【考案の詳細な説明】
【技術分野】
【０００１】
本考案はデータケーブルの技術分野に関し、より具体的にはＵＳＢインターフェースの高速充電データケーブルに関する。
【背景技術】
【０００２】
従来、広く使用されている充電方式として、ＵＳＢデータケーブルで従来の移動端末又はほかの電子機器に充電し、データケーブルはＵＳＢポートと充電対象装置とを接続する役割のみを果たし、充電速度がＵＳＢポートの出力電圧と電流により決定される。コンピュータの標準ＵＳＢポートは電圧を５Ｖ、出力電流を５００ミリアンペア程度に設計するため、コンピュータの標準ＵＳＢポートで充電対象装置を充電する場合は速度が非常に低いという問題があるとともに、データ転送時にデータを遮断したり損害したりすることが発生しやすいという問題も存在する。
【０００３】
従って、当業者にとって、一般的なコンピュータのＵＳＢインターフェースの高速充電を可能にする充電データケーブル又は装置を提供することは緊迫になる。
【考案の概要】
【考案が解決しようとする課題】
【０００４】
以上に鑑み、本考案はＵＳＢインターフェースの高速充電データケーブルを提供し、従来のコンピュータの標準ＵＳＢポートの充電速度が低いという問題を解決するだけでなく、昇圧モジュールとモード切替モジュールで出力電流の大きさを制御することができ、そのため制御性が高まる。
【課題を解決するための手段】
【０００５】
上記目的を達成させるために、本実用新案は下記技術案を提供する：
ＵＳＢインターフェースの高速充電データケーブルであって、ＵＳＢデータケーブルがマスタデバイスに接続されたホスト（ｈｏｓｔ）端末とスレーブデバイスに接続されたスレーブ（ｓｌａｖｅ）端末との間に設置される昇圧モジュールと、前記昇圧モジュールにより給電するモード切替モジュールとを備え、前記昇圧モジュールはＵＳＢデータケーブルのホスト端末の電源給電端の電圧を５Ｖから５．１−５．４Ｖまで上昇した後にスレーブ端末に接続され、前記モード切替モジュールは出力電流の大きさを制御する制御モジュールを少なくとも備え、制御モジュールのポートによりスレーブ端末に入力した充電電流の大きさを制御することができ、前記モード切替モジュールはモードを選択可能なキー入力部とユーザに現在のデータケーブルの作動モードを提示するＬＥＤ出力部を更に備える。
【０００６】
好ましくは、上記ＵＳＢインターフェースの高速充電データケーブルにおいて、前記モード切替モジュールは、標準ＵＳＢモードと高速充電モードの少なくとも二つのモードが設定され、標準ＵＳＢモードは標準ＵＳＢプロトコルにより制御され、高速充電モードはホストのデータプロトコルとの接続が切れ、且つ前記モード切替モジュールと前記昇圧モジュールにより完全に充電電流を自動的に同時に制御する。
【０００７】
好ましくは、上記ＵＳＢインターフェースの高速充電データケーブルにおいて、前記データケーブルはＵＳＢメスコネクタの代わりとしてＵＳＢオスコネクタをアダプターとすることができる。
【０００８】
上記技術案により、従来技術に比べて、本実用新案はＵＳＢインターフェースの高速充電データケーブルを提供し、ホスト端末とスレーブ端末との間に一つの昇圧モジュールを増設することで、高速充電の目的を達成させ、より多くの時間を節約するとともに、昇圧モジュールにより出力電流の大きさを制御することができ、一般的なコンピュータＵＳＢインターフェースでの高速充電を可能にする。
【図面の簡単な説明】
【０００９】
本考案の実施例又は従来技術における技術案をより明らかに説明するために、以下、実施例又は従来技術の説明に使用される図面を簡単に説明し、以下の説明における図面は本考案の実施例に過ぎず、当業者にとっては、創造性が要求される作業を必要とせずに、提供した図面に基づきほかの図面が得られることが当然のことである。
【００１０】
【図１】図１は本考案の構造原理図である。
【考案を実施するための形態】
【００１１】
以下、本考案の実施例における図面と組み合わせて、本考案の実施例における技術案を明らか且つ完全に説明し、なお、説明する実施例は本考案の一部の実施例に過ぎず、すべての実施例ではない。本考案における実施例に基づき、当業者は創造性が要求される作業を必要とせずに得たすべてのほかの実施例は、本考案が保護しようとする範囲に属する。
【００１２】
本考案の実施例はＵＳＢインターフェースの高速充電データケーブル（関連図面参照）を開示し、ＵＳＢデータケーブルがマスタデバイスに接続されたホスト端末とスレーブデバイスに接続されたスレーブ端末との間に設置される昇圧モジュールと、前記昇圧モジュールにより給電するモード切替モジュールとを備え、前記昇圧モジュールはＵＳＢデータケーブルのホスト端末の電源給電端の電圧を５Ｖから５．１−５．４Ｖまで上昇した後にスレーブ端末に接続され、前記モード切替モジュールは出力電流の大きさを制御する制御モジュールを少なくとも備え、制御モジュールのポートによりスレーブ端末に入力した充電電流の大きさを制御することができ、前記モード切替モジュールはモードを選択可能なキー入力部とユーザに現在のデータケーブルの作動モードを提示するＬＥＤ出力部を更に備える。
【００１３】
上記技術案を更に最適化させるために、モード切替モジュールは、標準ＵＳＢモードと高速充電モードの少なくとも二つのモードが設定され、標準ＵＳＢモードは標準ＵＳＢプロトコルにより制御され、高速充電モードはホストのデータプロトコルとの接続が切れ、且つ前記モード切替モジュールと前記昇圧モジュールにより完全に充電電流を自動的に同時に制御する。
【００１４】
上記技術案を更に最適化させるために、データケーブルはＵＳＢメスコネクタの代わりとしてＵＳＢオスコネクタをアダプターとすることができる。
【００１５】
本考案の原理図は全体として、昇圧モジュールとモード切替モジュールの二つの部分を含む。
【００１６】
昇圧モジュールは、回路本体が電圧昇圧チップＦＰ６２９８で構成され、ＵＳＢデータケーブルのホスト端末の電源出力端ＶＩＮがＦＰ６２９８の給電端に接続され、インダクタンスＬ１で昇圧してダイオードに接続された後に昇圧電圧ＶＯＵＴを出力し、抵抗Ｒ４と抵抗Ｒ５の構成を調整することにより出力する電圧ＶＯＵＴを調整することができる。
モード切替モジュールへの給電は昇圧モジュールが出力する電圧ＶＯＵＴにより実現され、モジュールの回路本体がモジュールスイッチ付きの充電アダプタ管理チップＵＣ２６３６で構成され、ＵＣ２６３６のデータ入力端がホスト端末のデータケーブルに接続され、ＵＣ２６３６のデータ出力端がスレーブ端末のデータケーブルに接続され、制御端がＭＯＳトランジスタＱ１のＧ端に接続され、Ｑ１のＳ端がＶＯＵＴに接続され、Ｑ１のＤ端がスレーブ端末の給電端ＶＢＵＳに接続される。ＵＣ２６３６のＣＬＫがキーＳ１に接続され、ＵＣ２６３６がキーＳ１の入力を認識することで二つの作動モードの切替を制御し、第一モードは標準ＵＳＢモードであり、データ転送と４００ｍＡ充電を実現し、第二モードは高速充電モードであり、該モードではＵＣ２６３６とコンピュータとのデータプロトコルが切れ、充電状態ではコンピュータ側のＵＳＢプロトコルにより制御されることではなく、ＵＣ２６３６により充電装置を知的認識して高速充電を実現し、それにより高くとも１．８Ａでの高速充電が可能である。現在の作動モードと状態を指示するためにＵＣ２６３６のＬＥＤ０とＬＥＤ１ピンに発光ダイオードを取り付けることができる。
本明細書における各実施例はプログレッシブな方式で説明し、各実施例ではほかの実施例と異なる点を重点として説明し、各実施例での同様な内容又は類似する内容については参照となる。実施例に開示されている装置としては、実施例に開示されている方法に対応するため、説明が簡素化され、関連する内容について方法に関連する説明を参照すればよい。
【００１７】
開示されている実施例の上記説明により当業者は本考案を実現又は使用することができる。これら実施例に対する複数の変更は当業者にとって明らかなものであり、本文で定義される一般的な原理として本考案の主旨又は範囲を脱逸しない限り、ほかの実施例でも達成できる。従って、本考案は本文に示される実施例に制限されるものではなく、本文に開示されている原理と新規性を満たす最も広範な範囲である。
【図１】
0003204266.tif 000003